(57)【要約】【課題】ダウンシフトを実行する際に、自動変速機の変速態様を的確に目標変速態様としつつ、変速ショックの発生を的確に抑制することのできる車両の制御装置を提供する。【解決手段】ダウンシフトを実行する際に、タービン回転速度ＮＴの上昇速度を大きくすべくスロットル開度制御を通じてエンジンの出力トルクを増大させるトルクアップ処理を行う。そして、ダウンシフトを実行する際に、当該ダウンシフトの実行にともなうタービン回転速度ＮＴの変化速度ΔＮＴに基づいて学習制御処理が行われる場合には、同学習制御処理が行われない場合に比べて係合側油圧ＰＥの制御量ｅＰＥを増大させる一方、当該係合側油圧ＰＥの制御量ｅＰＥの増大量ΔｅＰＥに対応する分（ΔｅＴＡ）だけトルクアップ処理におけるスロットル開度制御量ｅＴＡを低減させる。【選択図】図６
2010276097.tif 000002
【特許請求の範囲】
【請求項１】
複数の摩擦係合要素における油圧による選択的な摩擦係合によりギヤ比の異なる複数のギヤ段を成立させる自動変速機が搭載され、同自動変速機を通じて機関側から車輪側への回転伝達を行う車両の制御装置であって、
前記ギヤ段の切り換え指示に基づき、その切り換え指示に沿った前記ギヤ段の切り換えを行うための変速処理を実行する変速制御手段を備え、
前記変速処理は、
現在のギヤ段を成立させるべく摩擦係合されている摩擦係合要素を解放すべく同摩擦係合要素に作用する解放側油圧を低下させつつ、切り換え予定のギヤ段を成立させるための摩擦係合要素を摩擦係合させるべく同摩擦係合要素に作用する係合側油圧を上昇させる油圧制御処理と、
前記切り換え予定のギヤ段を現在のギヤ段に比べて低速段側のギヤ段とするダウンシフトを実行する際に、前記自動変速機における機関側の回転速度の上昇速度を大きくすべく前記機関の出力トルクを増大させるトルクアップ処理と、
前記ダウンシフトの実行にともなう前記自動変速機における機関側の回転速度の変化態様と目標変化態様とに基づき前記係合側油圧の制御量の学習を行う学習制御処理と、
を含む車両の制御装置において、
前記変速処理は、前記ダウンシフトを実行する際に、当該ダウンシフトの実行にともなう前記自動変速機における機関側の回転速度の変化態様に基づいて前記学習制御処理が行われる場合には、同学習制御処理が行われない場合に比べて前記係合側油圧の制御量を増大させる一方、当該係合側油圧の制御量の増大量に対応する分だけ前記トルクアップ処理における前記機関の出力トルクの制御量を低減させる制御量変換処理を含む
ことを特徴とする車両の制御装置。
【請求項２】
請求項１に記載の車両の制御装置において、
前記制御量変換処理は、前記ダウンシフトが実行される際に、当該ダウンシフトの実行にともなう前記自動変速機における機関側の回転速度の変化態様に基づいて前記学習制御処理が行われない場合には、直前に行われた前記学習制御処理により学習された前記係合側油圧の制御量を低減させる一方、当該係合側油圧の制御量の低減量に対応する分だけ前記トルクアップ処理における前記機関の出力トルクの制御量を増大させる
ことを特徴とする車両の制御装置。
【請求項３】
請求項１又は請求項２に記載の車両の制御装置において、
前記制御量変換処理は、前記学習制御処理が行われる場合における前記係合側油圧の制御量の増大量を固定値とする
ことを特徴とする車両の制御装置。
【請求項４】
請求項１又は請求項２に記載の車両の制御装置において、
前記制御量変換処理は、前記学習制御処理が行われる場合における前記係合側油圧の制御量の増大量を前記自動変速機の駆動状態に基づいて可変設定する
ことを特徴とする車両の制御装置。
【請求項５】
請求項１〜請求項４のいずれか一項に記載の車両の制御装置において、
前記学習制御処理は、前記自動変速機における機関側の回転速度の変化速度と目標変化速度との乖離度合が所定度合以上であることをもって前記係合側油圧の制御量の学習を行う
ことを特徴とする車両の制御装置。
【請求項６】
請求項１〜請求項５のいずれか一項に記載の車両の制御装置において、
前記機関は内燃機関として構成されるものであり、
前記トルクアップ処理は、内燃機関の吸入空気量制御、点火時期制御、及び燃料噴射量制御の少なくとも一方を通じて前記機関の出力トルクを増大させる
ことを特徴とする車両の制御装置。
【発明の詳細な説明】
【技術分野】
【０００１】
本発明は、複数の摩擦係合要素における油圧による選択的な摩擦係合によりギヤ比の異なる複数のギヤ段を成立させる自動変速機が搭載され、同自動変速機を通じて機関側から車輪側への回転伝達を行う車両の制御装置に関する。
【背景技術】
【０００２】
自動車等の車両においては、機関側の回転が自動変速機等の変速機を介して車輪側に伝達される。自動変速機は、トルクコンバータや変速歯車機構等を備えており、変速歯車機構の動力伝達経路を切り換えることでギヤ比の異なる複数のギヤ段を成立させるものである。
【０００３】
自動変速機のギヤ段を切り換えるための変速歯車機構における動力伝達機構の切り換えに関しては、例えばクラッチやブレーキ等の複数の摩擦係合要素の選択的な摩擦係合により実現される。尚、クラッチやブレーキ等の各摩擦係合要素は、油圧制御回路を通じて供給される作動油の油圧に基づき作動するものであり、油圧制御回路に設けられた各種ソレノイドバルブの作動態様を通じて上記油圧を調整することにより、係合状態と開放状態との間で切り換えられる。
【０００４】
自動変速機において、上記各摩擦係合要素の作動によるギヤ段の切り換えは、ギヤ段の切り換え指示に基づき同指示に沿ったギヤ段の切り換えを行うための変速処理を通じて実現される。この変速処理は、例えば以下のように行われることとなる。
【０００５】
ギヤ段の切り換え指示がなされると変速処理が開始され、現在のギヤ段を成立させるために摩擦係合されている摩擦係合要素を解放すべく同摩擦係合要素に作用する油圧（以下、「解放側油圧」）を低下させつつ、切り換え予定のギヤ段を成立させるための摩擦係合要素を摩擦係合させるべく同摩擦係合要素に作用する油圧（以下、「係合側油圧」）を上昇させる油圧制御処理が行われる。これにより、切り換え前のギヤ段を成立させるために摩擦係合されている摩擦係合要素が解放されるとともに、切り換え予定のギヤ段を成立させるための摩擦係合要素が摩擦係合される。
【０００６】
こうした摩擦係合要素の解放・摩擦係合が行われると、それにともない自動変速機（変速歯車機構）における機関側の回転速度であるタービン回転速度が切り換え予定のギヤ段の同期回転速度に向けて変化してゆく。そして、タービン回転速度が上記同期回転速度に到達すると、切り換え予定のギヤ段が成立する。これにより、上記切り換え指示に沿ったギヤ段の切り換えが完了し、同ギヤ段の切り換えのための上記変速処理が終了することとなる。
【０００７】
ところで、機関の出力特性や自動変速機の変速特性における個体毎のばらつきや、例えば大気圧や外気温度といった車両の外部環境の変化等に起因して、上記変速処理におけるタービン回転速度の変化態様（例えばタービン回転速度の変化速度）が目標変化態様から乖離することがある。
【０００８】
そこで、上記変速処理におけるタービン回転速度の変化態様を目標変化態様とすべく、変速処理の実行にともなうタービン回転速度の変化態様と目標変化態様との乖離度合に基づいて係合側油圧の制御量を学習する学習制御処理を行うものがある。
【０００９】
ところで、切り換え予定のギヤ段を現在のギヤ段に比べて低速段側のギヤ段とするダウンシフトが行われる際には、運転者によるシフトレバーの操作等のギヤ段の切り換え指示がなされてから、より早い段階において運転者が減速感を得ることができるように変速処理を早期に終了することが求められる。
【００１０】
そこで、例えば特許文献１に記載の技術も含め、従来の車両の制御装置においては、ダウンシフトを実行するに際して、機関の出力トルクを増大させるトルクアップ処理を行うことにより、タービン回転速度の上昇速度を大きくすることで同タービン回転速度が切り換え予定のギヤ段の同期回転速度に到達するまでに要する時間の短縮を図るようにしている。
【先行技術文献】
【特許文献】
【００１１】
【特許文献１】特開２００８―４５６７６号公報
【発明の概要】
【発明が解決しようとする課題】
【００１２】
ところで、ダウンシフトを実行する際に、上記トルクアップ処理を行うと、タービン回転速度の上昇に対する寄与度合のうち、上記トルクアップ処理による寄与度合が大きくなる一方、その分だけ係合側油圧による寄与度合が小さくなる。そのため、上記学習制御処理を通じて係合側油圧の制御量を学習した場合であっても、上記トルクアップ処理を行わない場合、すなわちタービン回転速度の上昇に対する係合側油圧による寄与度合が大きい場合に比べて、当該学習の感度及び精度が低下することとなる。しかも、タービン回転速度の上昇に対する係合側油圧による寄与度合が小さいことから、タービン回転速度の変化態様を目標変化態様に向けて大きく変更することができず、自動変速機の変速態様を的確に目標変速態様とすることができないといった問題が生じる。
【００１３】
尚、ダウンシフトを実行する際に、例えば上記トルクアップ制御に代えて、係合側油圧ＰＥを増大させることにより、すなわちタービン回転速度の上昇に対するトルクアップ処理による寄与度合を小さくするとともに、係合側油圧による寄与度合を大きくすることによりタービン回転速度の上昇速度を大きくすることが考えられる。しかしながらこの場合には、例えば解放側油圧の低下が十分に進行していない状態において係合側油圧が過度に上昇することとなり、現在のギヤ段を成立させるために摩擦係合されている摩擦係合要素と切り換え予定のギヤ段を成立させるために摩擦係合がなされることとなる摩擦係合要素とのタイアップが生じる結果、変速ショックが発生するといった新たな問題が生じる。
【００１４】
本発明は、こうした実情に鑑みてなされたものであり、その目的は、ダウンシフトを実行する際に、自動変速機の変速態様を的確に目標変速態様としつつ、変速ショックの発生を的確に抑制することのできる車両の制御装置を提供することにある。
【課題を解決するための手段】
【００１５】
以下、上記課題を解決するための手段及びその作用効果について記載する。
（１）請求項１に記載の発明は、複数の摩擦係合要素における油圧による選択的な摩擦係合によりギヤ比の異なる複数のギヤ段を成立させる自動変速機が搭載され、同自動変速機を通じて機関側から車輪側への回転伝達を行う車両の制御装置であって、前記ギヤ段の切り換え指示に基づき、その切り換え指示に沿った前記ギヤ段の切り換えを行うための変速処理を実行する変速制御手段を備え、前記変速処理は、現在のギヤ段を成立させるべく摩擦係合されている摩擦係合要素を解放すべく同摩擦係合要素に作用する解放側油圧を低下させつつ、切り換え予定のギヤ段を成立させるための摩擦係合要素を摩擦係合させるべく同摩擦係合要素に作用する係合側油圧を上昇させる油圧制御処理と、前記切り換え予定のギヤ段を現在のギヤ段に比べて低速段側のギヤ段とするダウンシフトを実行する際に、前記自動変速機における機関側の回転速度の上昇速度を大きくすべく前記機関の出力トルクを増大させるトルクアップ処理と、前記ダウンシフトの実行にともなう前記自動変速機における機関側の回転速度の変化態様と目標変化態様とに基づき前記係合側油圧の制御量の学習を行う学習制御処理と、を含む車両の制御装置において、前記変速処理は、前記ダウンシフトを実行する際に、当該ダウンシフトの実行にともなう前記自動変速機における機関側の回転速度の変化態様に基づいて前記学習制御処理が行われる場合には、同学習制御処理が行われない場合に比べて前記係合側油圧の制御量を増大させる一方、当該係合側油圧の制御量の増大量に対応する分だけ前記トルクアップ処理における前記機関の出力トルクの制御量を低減させる制御量変換処理を含むことをその要旨としている。
【００１６】
同構成によれば、ダウンシフトを実行する際に、学習制御処理が行われる場合には同学習制御処理が行われない場合に比べて、自動変速機における機関側の回転速度の上昇に対する寄与度合のうち、係合側油圧による寄与度合が大きくされるとともに、トルクアップ処理による寄与度合が小さくされる。これにより、学習制御処理が行われる場合には、上記トルクアップ処理による寄与度合が比較的大きいことに起因して当該学習の感度及び精度が低下することを抑制することができるようになる。
【００１７】
また、ダウンシフトを実行する際に、学習制御処理が行われない場合には同学習制御処理が行われる場合に比べて、自動変速機における機関側の回転速度の上昇に対する寄与度合のうち、係合側油圧による寄与度合が小さくされるとともに、トルクアップ処理による寄与度合が大きくされる。これにより、学習制御処理が行われない場合には、自動変速機における機関側の回転速度の上昇速度を的確に大きくしつつ、係合側油圧による寄与度合が比較的大きいことに起因して変速ショックが発生することを的確に抑制することができるようになる。
【００１８】
従って、ダウンシフトを実行する際に、自動変速機の変速態様を的確に目標変速態様としつつ、変速ショックの発生を的確に抑制することができるようになる。
（２）請求項２に記載の発明は、請求項１に記載の車両の制御装置において、前記制御量変換処理は、前記ダウンシフトが実行される際に、当該ダウンシフトの実行にともなう前記自動変速機における機関側の回転速度の変化態様に基づいて前記学習制御処理が行われない場合には、直前に行われた前記学習制御処理により学習された前記係合側油圧の制御量を低減させる一方、当該係合側油圧の制御量の低減量に対応する分だけ前記トルクアップ処理における前記機関の出力トルクの制御量を増大させることをその要旨としている。
【００１９】
同構成によれば、学習制御処理が行われた後、ダウンシフトを実行する際に、学習制御処理が行われない場合には、直前に行われた学習制御処理により学習された係合側油圧の制御量の低減量に対応する分だけ、トルクアップ処理における機関の出力トルクの制御量が増大される。これにより、比較的高い感度及び精度のもと行われた学習処理制御の結果を、トルクアップ処理における機関の出力トルクの制御に的確に反映させることができるようになる。従って、ダウンシフトを実行する際に、自動変速機の変速態様を一層的確に目標変速態様とすることができるようになる。
【００２０】
（３）請求項１又は請求項２に記載の発明は、請求項３に記載の車両の制御装置によるように、前記制御量変換処理は、前記制御量変換処理は、前記学習制御処理が行われる場合における前記係合側油圧の制御量の増大量を固定値とするといった態様をもって具体化することができる。この場合には、制御量変換処理における制御構成を簡易なものとすることができるようになる。
【００２１】
（４）請求項４に記載の発明は、請求項１又は請求項２に記載の車両の制御装置において、前記制御量変換処理は、前記学習制御処理が行われる場合における前記係合側油圧の制御量の増大量を前記自動変速機の駆動状態に基づいて可変設定することをその要旨としている。
【００２２】
制御量変換処理において、係合側油圧の制御量の増大量を大きくするほど、すなわちトルクアップ処理における機関の出力トルクの制御量の低減量を大きくするほど、自動変速機における機関側の回転速度の上昇に対する寄与度合のうち、係合側油圧による寄与度合が大きくなり、トルクアップ処理による寄与度合が小さくなる。このことから、係合側油圧の制御量の増大量を大きくするほど、学習制御処理における感度及び精度の低下を一層抑制することができるようにはなる。ただし、上記係合側油圧による寄与度合が過度に大きくなると、このことに起因して変速ショックが発生しやすくなる。また、変速ショックが発生し始める係合側油圧は自動変速機の駆動状態によって異なるものとなる。
【００２３】
この点、上記構成によれば、学習制御処理が行われる場合における係合側油圧の制御量の増大量を自動変速機の駆動状態に基づいて的確に設定することができ、学習制御処理における感度及び精度の低下を的確に抑制しつつ、変速ショックの発生についてもこれを的確に抑制することができるようになる。
【００２４】
（５）請求項１〜請求項４のいずれか一項に記載の発明は、請求項５に記載の発明によるように、前記学習制御処理は、前記自動変速機における機関側の回転速度の変化速度と目標変化速度との乖離度合が所定度合以上であることをもって前記係合側油圧の制御量の学習を行うといった態様をもって具体化することができる。
【００２５】
（６）請求項１〜請求項５のいずれか一項に記載の発明は、請求項６に記載の発明によるように、前記機関は内燃機関として構成されるものであり、前記トルクアップ処理は、内燃機関の吸入空気量制御、点火時期制御、及び燃料噴射量制御の少なくとも一方を通じて前記機関の出力トルクを増大させることをその要旨としている。
【図面の簡単な説明】
【００２６】
【図１】本発明に係る車両の制御装置の一実施形態について、自動車の駆動系全体の概略構成を示す概略構成図。
【図２】同実施形態の自動変速機における変速歯車機構の構成を説明するための骨子図。
【図３】同実施形態における変速歯車機構の各摩擦係合要素の作動の組み合わせと、それにより成立するギヤ段との関係を示す作動表。
【図４】同実施形態における車速とアクセル操作量とに基づく指示段の切り換え態様を説明するための説明図。
【図５】同実施形態における係合側油圧の制御量の増大量（低減量）とスロットル開度制御量の低減量（増大量）との関係を示すグラフ。
【図６】同実施形態における制御量変換処理の実行手順を示すフローチャート。
【図７】同実施形態における制御量変換処理が実行された場合における各パラメータの推移の一例を示すタイミングチャートであって、（ａ）タービン回転速度の推移、（ｂ）スロットル開度制御量の推移、（ｃ）解放側油圧の制御量の推移、（ｄ）係合側油圧の制御量の推移を併せ示したタイミングチャート。
【発明を実施するための形態】
【００２７】
以下、本発明を自動車の制御装置に具体化した一実施形態について、図１〜図７を参照して説明する。
図１に、本実施形態における自動車の概略構成を示す。
【００２８】
図１に示すように、自動車１においては、エンジン２の回転が自動変速機３等を介して車輪４に伝達されるようになっている。エンジン２は、空気と燃料とからなる混合気に対し点火プラグ４２による点火を行って同混合気を燃焼させることにより回転駆動されるガソリンエンジンである。エンジン２に供給される空気の量（以下、「吸入空気量」）ＧＡは、吸気通路に設けられたスロットルバルブ４４の開度に応じて調整される。また、エンジン２に供給される燃料の量（以下、「燃料噴射量」）Ｑは、燃料噴射弁４６の開弁時間に応じて調整される。また、自動変速機３は、トルクコンバータ５と変速歯車機構６とを備え、変速歯車機構６の動力伝達経路をクラッチやブレーキ等の各係合要素を選択的に係合して切り換えることにより、ギヤ比の異なる複数のギヤ段を成立させるものである。
【００２９】
図２は、自動変速機３における変速歯車機構６の構成を説明するための骨子図である。尚、変速歯車機構６は中心線に対してほぼ上下対称に構成されており、図２では中心線よりも下側の半分が省略されている。
【００３０】
変速歯車機構６においては、エンジン２側からの回転がタービンシャフト２０に入力され、この回転が第１遊星歯車装置３２、第２遊星歯車装置３４、及び第３遊星歯車装置３６を介してアウトプットシャフト１２に伝達される。そして、アウトプットシャフト１２から出力された回転は車輪４（図１）に伝達される。変速歯車機構６は、クラッチＣ１〜Ｃ４及びブレーキＢ１〜Ｂ４といった複数の摩擦係合要素の選択的な摩擦係合、並びに複数のワンウェイクラッチＦ１〜Ｆ４の選択的な係合により、同機構６での動力伝達経路を切り換えてギヤ比の異なる複数のギヤ段を成立させるものである。
【００３１】
尚、上記クラッチＣ１〜Ｃ４及びブレーキＢ１〜Ｂ４は、いずれもオイルポンプから供給される作動油の油圧によって作動される多板式の油圧式摩擦係合装置であり、上記油圧の調整を通じて係合状態と解放状態との間で切り換えられる。また、上記クラッチＣ１〜Ｃ４及びブレーキＢ１〜Ｂ４を動作させるための作動油を供給する上記オイルポンプは、エンジン２により駆動され、同エンジン２の回転速度の上昇に伴い作動油の供給量が増大するものとなっている。
【００３２】
図３は、クラッチＣ１〜Ｃ４及びブレーキＢ１〜Ｂ４といった各摩擦係合要素、並びにワンウェイクラッチＦ１〜Ｆ４における作動状態と、成立するギヤ段（パーキング、リバース、ニュートラル、１〜６速）との関係を示す作動表である。同図において、「○」はトルク伝達のある係合、「◎」はエンジンブレーキ時などの係合、「△」はトルク伝達のない係合を表している。同図から分かるように、前進側のギヤ段である１〜６速のうち１速〜４速といったギヤ段では、クラッチＣ１〜Ｃ４及びブレーキＢ１〜Ｂ４といった摩擦係合要素の選択的な摩擦係合とワンウェイクラッチＦ１〜Ｆ４の選択的な係合との組み合わせにより、ギヤ段が成立するようになる。また、前進側のギヤ段である１〜６速のうち５速、６速といったギヤ段では、クラッチＣ１〜Ｃ４及びブレーキＢ１〜Ｂ４といった摩擦係合要素の選択的な摩擦係合のみにより、ギヤ段が成立するようになる。
【００３３】
次に、本実施形態における自動車１の制御装置の電気的構成について、図１を参照して説明する。
自動車１には、エンジン２及び自動変速機３等に関する各種制御を実行する電子制御装置８が搭載されている。この電子制御装置８は、上記制御に係る各種演算処理を実行するＣＰＵ、その制御に必要なプログラムやデータの記憶されたＲＯＭ、ＣＰＵの演算結果等が一時記憶されるＲＡＭ、外部との間で信号を入・出力するための入・出力ポート等を備えて構成されている。
【００３４】
電子制御装置８の入力ポートには、以下に示す各種センサ等が接続されている。
・変速歯車機構６の入力軸であるタービンシャフト２０の回転速度（以下、「タービン回転速度」）ＮＴを検出する入力回転速度センサ９。
【００３５】
・変速歯車機構６のアウトプットシャフト１２の回転速度を検出する出力回転速度センサ１０。
・自動車１の運転者によって操作されるシフトレバー１３の位置（以下、「シフト操作位置」）ＳＨＩＦＴに対応した信号を出力するシフトポジションセンサ１４。
【００３６】
・エンジン２の出力調整のために運転者によって踏み込み操作されるアクセルペダル１５の操作量（以下、「アクセル操作量」）ＡＣＣＰを検出するアクセルポジションセンサ１６。
【００３７】
・吸入空気量ＧＡを検出する吸入空気量センサ４３。
・スロットルバルブ４４の開度（以下、「スロットル開度」）ＴＡを検出するスロットルポジションセンサ４５。
【００３８】
電子制御装置８の出力ポートには、点火プラグ４２、スロットルバルブ４４、燃料噴射弁４６の各駆動回路の他、自動変速機３のギヤ段を切り換えるための油圧制御回路５４に設けられたソレノイドバルブ５５〜６２の駆動回路が接続されている。
【００３９】
油圧制御回路５４は、クラッチＣ１〜Ｃ４及びブレーキＢ１〜Ｂ４といった摩擦係合要素に作動油を供給するためのものである。また、油圧制御回路５４に設けられたソレノイドバルブ５５〜６２はそれぞれ対応する摩擦係合要素、すなわちクラッチＣ１〜Ｃ４及びブレーキＢ１〜Ｂ４に作用する油圧を調整し、それら摩擦係合要素を個別に作動させるためのものである。
【００４０】
そして、電子制御装置８は、上記各センサから入力した検出信号に基づき把握されるエンジン２及び自動車１の運転状態を検知し、上記出力ポートに接続された各種駆動回路の指令信号を出力する。こうしてエンジン２の出力トルクを調整する制御（以下、「出力トルク制御」）、及び自動変速機３のギヤ段の切り換え制御（以下、「変速制御」）等が電子制御装置８を通じて実行される。
【００４１】
エンジン２の出力トルクは、アクセル操作量ＡＣＣＰに応じてスロットル開度ＴＡが調整され、これにより吸入空気量ＧＡが調整されることに基づいて行われる。
自動変速機３の変速は、自動車１の運転状態に適したギヤ段である指示段に基づいて行われる。この指示段は、アクセル操作量ＡＣＣＰ、及び車速Ｖ等に基づき図４に示されるように設定される。尚、ここで用いられる車速Ｖについては、出力回転速度センサ１０からの検出信号、或いは、入力回転速度センサ９からの検出信号及び現在のギヤ段に基づき求めることが可能である。同図中において、実線は低速段側（１速側）から高速段側（６速側）に指示段を変化させるアップシフトの際の指示段の境界を表しており、破線は高速段側から低速段側に指示段を変化させるダウンシフトの際の指示段の境界を表している。同図から明らかなように、アクセル操作量ＡＣＣＰ及び車速Ｖ等に基づき設定される指示段は、車速Ｖ一定の条件下では、アクセル操作量ＡＣＣＰの増大に伴い低速段側に変化するようになる。上記のように指示段が設定されると、自動変速機３のギヤ段が上記指示段となるよう、各摩擦係合要素を係合状態または解放状態とすべくソレノイドバルブ５５〜６２が個別に作動される。
【００４２】
また、自動変速機３の変速は、自動車１の運転者によるシフトレバー１３の操作に基づいても行われる。すなわち、シフト操作位置ＳＨＩＦＴが変更されると、これにともない指示段の高速段側の限界段が変更される。このため例えば、現在のギヤ段が４速であるときに、運転者によりシフト操作位置ＳＨＩＦＴを３速とするダウンシフトの切り換え指示が行われると、指示段が３速とされる。
【００４３】
自動変速機３の変速において、クラッチＣ１〜Ｃ４及びブレーキＢ１〜Ｂ４といった摩擦係合要素の作動とワンウェイクラッチＦ１〜Ｆ４の作動とによるギヤ段の切り換えは、そのギヤ段の切り換え指示に基づき同指示に沿ったギヤ段の切り換えを行うための変速処理を通じて実現される。以下、この変速処理のうち切り換え予定のギヤ段を現在のギヤ段に比べて低速段側のギヤ段とするダウンシフトについて、４速から３速へのギヤ段の切り換えを行う場合を例に詳しく説明する。
【００４４】
４速から３速へのギヤ段の切り換え指示（指示段の４速から３速への変更）に基づき変速処理が開始されると、上記ギヤ段の切り換えを実現するまでに必要な摩擦係合要素の係合状態と解放状態との間での切り換えを行うための油圧制御処理が実行される。この油圧制御処理では、現在のギヤ段を成立させるために摩擦係合されている摩擦係合要素を解放すべく同摩擦係合要素に作用する油圧（以下、「解放側油圧」）ＰＲを低下させつつ、切り換え予定のギヤ段を成立させるための摩擦係合要素を摩擦係合させるべく同摩擦係合要素に作用する油圧（以下、「係合側油圧」）ＰＥを上昇させることが行われる。より具体的には、４速を成立させるために摩擦係合されているクラッチＣ２等を解放すべくそれに作用する解放側油圧ＰＲを低下させつつ、３速を成立させるためのクラッチＣ３等を摩擦係合させるべくそれに作用する係合側油圧ＰＥを上昇させることが行われる。これにより、切り換え前のギヤ段（４速）を成立するために摩擦係合されている摩擦係合要素（クラッチＣ２等）が解放されるとともに、切り換え予定のギヤ段（３速）を成立させるための摩擦係合要素（クラッチＣ３等）が摩擦係合される。
【００４５】
こうしたクラッチＣ２及びクラッチＣ３等の摩擦係合要素の解放・摩擦係合が行われると、それに伴いタービン回転速度ＮＴが、切り換え予定のギヤ段（３速）を成立させるためのワンウェイクラッチＦ１，Ｆ４の係合が行われる回転速度である同期回転速度（Ｎ３）に向けて変化してゆく。尚、タービン回転速度ＮＴは変速歯車機構６におけるエンジン２側の部分の回転速度となる。そして、タービン回転速度ＮＴが上記同期回転速度（Ｎ３）に到達すると、上記ワンウェイクラッチＦ１，Ｆ４が係合して切り換え予定のギヤ段である３速が成立する。これにより、上記４速から３速への切り換え指示に沿ったギヤ段の切り換えが完了し、同ギヤ段の切り換えのための上記変速処理が終了することとなる。
【００４６】
ところで、前述したように、エンジン２の出力特性や自動変速機３の変速特性における個体毎のばらつきや、例えば大気圧や外気温度といった自動車１の外部環境の変化等に起因して、ダウンシフトにおける変速態様が目標変速態様から乖離することがある。
【００４７】
そこで、ダウンシフトにおける変速態様を目標変速態様とするために、本実施形態では、ダウンシフトの実行にともなうタービン回転速度ＮＴの変化速度ΔＮＴと目標変化速度ΔＮＴｔｒｇとの偏差の絶対値ＤＮ（＝｜ΔＮＴ−ΔＮＴｔｒｇ｜）に基づいて係合側油圧ＰＥの制御量ｅＰＥを学習する学習制御処理が実行される。
【００４８】
学習制御処理が実行されると、同処理としてタービン回転速度ＮＴの変化速度ΔＮＴと目標変化速度ΔＮＴｔｒｇとの偏差ＤＮが小さくなる方向に係合側油圧ＰＥの制御量ｅＰＥが学習される。こうした学習制御処理を行うことにより、係合側油圧ＰＥの制御量ｅＰＥが的確に設定され、タービン回転速度ＮＴの変化速度ΔＮＴを目標変化速度ΔＮＴｔｒｇとすることができ、ダウンシフトにおける変速態様を目標変速態様とすることができるようになる。
【００４９】
また、前述したように、ダウンシフトが行われる際には、運転者によるシフトレバー１３の操作等のギヤ段の切り換え指示がなされてから、より早い段階において運転者が減速感を得ることができるように変速処理を早期に終了することが求められる。
【００５０】
そこで、本実施形態では、変速処理の過程において、タービン回転速度ＮＴの上昇速度を大きくしてタービン回転速度ＮＴが切り換え予定のギヤ段の同期回転速度に到達するまでに要する時間を短縮するためにエンジン２の出力トルクを増大させるトルクアップ処理が実行される。
【００５１】
トルクアップ処理が実行されると、同処理としてスロットルバルブ４４の開度が開き側に大きくされることで吸入空気量ＧＡが増大され、これにともない燃料噴射弁４６の開弁時間が大きくされることで燃料噴射量Ｑが増量され、それによってエンジン２の出力トルクが増大される。こうしたトルクアップ処理を行うことにより、変速処理の過程においてタービン回転速度ＮＴの上昇速度が大きくされ、タービン回転速度ＮＴが切り換え予定のギヤ段の同期回転速度に到達するまでに要する時間の短縮を図ることができ、ギヤ段の切り換え指示がなされてから、より早い段階において運転者が減速感を得ることができるようになる。
【００５２】
ところで、前述したように、ダウンシフトを実行する際に、上記トルクアップ処理を行うと、タービン回転速度ＮＴの上昇に対する寄与度合のうち、トルクアップ処理による寄与度合が大きくなる一方、その分だけ係合側油圧ＰＥによる寄与度合が小さくなる。そのため、上記学習制御処理を通じて係合側油圧ＰＥの制御量ｅＰＥを学習した場合であっても、上記トルクアップ処理を行わない場合、すなわちタービン回転速度ＮＴの上昇に対する係合側油圧による寄与度合が大きい場合に比べて、当該学習の感度及び精度が低下することとなる。しかも、タービン回転速度ＮＴの上昇に対する係合側油圧ＰＥによる寄与度合が小さいことから、タービン回転速度ＮＴの変化速度ΔＮＴを目標変化速度ΔＮＴｔｒｇに向けて大きく変更することができず、自動変速機３の変速態様を的確に目標変速態様とすることができないといった問題が生じる。
【００５３】
尚、こうした問題に対して、ダウンシフトを実行する際に、例えば上記トルクアップ制御に代えて、係合側油圧ＰＥを増大させることにより、すなわちタービン回転速度ＮＴの上昇に対するトルクアップ処理による寄与度合を小さくするとともに、係合側油圧ＰＥによる寄与度合を大きくすることによりタービン回転速度ＮＴの変化速度（上昇速度）ΔＮＴを大きくすることが考えられる。しかしながらこの場合には、例えば解放側油圧ＰＲの低下が十分に進行していない状態において係合側油圧ＰＥが過度に上昇することとなり、現在のギヤ段を成立させるために摩擦係合されている摩擦係合要素と切り換え予定のギヤ段を成立させるために摩擦係合がなされることとなる摩擦係合要素とのタイアップが生じる結果、変速ショックが発生するといった新たな問題が生じる。
【００５４】
次に、本実施形態における上記不具合への対策について説明する。
本実施形態では、ダウンシフトを実行する際に、自動変速機３の変速態様を的確に目標変速態様としつつ、変速ショックの発生を的確に抑制するために、次の制御量変換処理が実行される。
【００５５】
制御量変換処理が実行されると、同処理として、ダウンシフトを実行する際に、当該ダウンシフトの実行にともなうタービン回転速度ＮＴの変化速度ΔＮＴに基づいて上記学習制御処理が行われる場合には、同学習制御処理が行われない場合に比べて係合側油圧ＰＥの制御量ｅＰＥが増大される一方、当該係合側油圧ＰＥの制御量ｅＰＥの増大量ΔｅＰＥに対応する分だけトルクアップ処理におけるスロットル開度制御量ｅＴＡが低減される。
【００５６】
また、同処理として、ダウンシフトが実行される際に、当該ダウンシフトの実行にともなうタービン回転速度ＮＴの変化速度ΔＮＴに基づいて学習制御処理が行われない場合には、直前に行われた学習制御処理により学習された係合側油圧ＰＥの制御量ｅＰＥが低減される一方、当該係合側油圧ＰＥの制御量ｅＰＥの低減量ΔｅＰＥに対応する分だけトルクアップ処理におけるスロットル開度制御量ｅＴＡが増大される。
【００５７】
こうした制御量変換処理を行うことにより、ダウンシフトを実行する際に、学習制御処理が行われる場合には同学習制御処理が行われない場合に比べて、タービン回転速度ＮＴの上昇に対する寄与度合のうち、係合側油圧ＰＥによる寄与度合が大きくされるとともに、トルクアップ処理による寄与度合が小さくされる。このため、学習制御処理が行われる場合には、上記トルクアップ処理による寄与度合が比較的大きいことに起因して当該学習の感度及び精度が低下することを抑制することができるようになる。
【００５８】
また、ダウンシフトを実行する際に、学習制御処理が行われない場合には同学習制御処理が行われる場合に比べて、タービン回転速度ＮＴの上昇に対する寄与度合のうち、係合側油圧ＰＥによる寄与度合が小さくされるとともに、トルクアップ処理による寄与度合が大きくされる。これにより、学習制御処理が行われない場合には、タービン回転速度ＮＴの上昇速度を的確に大きくしつつ、係合側油圧ＰＥによる寄与度合が比較的大きいことに起因して変速ショックが発生することを的確に抑制することができるようになる。
【００５９】
更に、学習制御処理が行われた後、ダウンシフトを実行する際に、学習制御処理が行われない場合には、直前に行われた学習制御処理により学習された係合側油圧ＰＥの制御量ｅＰＥの低減量ΔｅＰＥに対応する分だけ、トルクアップ処理におけるスロットル開度制御量ｅＴＡが増大される。これにより、比較的高い感度及び精度のもと行われた学習処理制御の結果を、トルクアップ処理におけるエンジン２の出力トルクの制御に的確に反映させることができる。
【００６０】
ここで、制御量変換処理において、係合側油圧ＰＥの制御量ｅＰＥの増大量ΔｅＰＥを大きくするほど、すなわちトルクアップ処理におけるスロットル開度制御量ｅＴＡの低減量ΔｅＴＡを大きくするほど、タービン回転速度ＮＴの上昇に対する寄与度合のうち、係合側油圧ＰＥによる寄与度合が大きくなり、トルクアップ処理による寄与度合が小さくなる。このことから、係合側油圧ＰＥの制御量ｅＰＥの増大量ΔｅＰＥを大きくするほど、学習制御処理における感度及び精度の低下を一層抑制することができるようにはなる。ただし、上記係合側油圧ＰＥによる寄与度合が過度に大きくなると、このことに起因して変速ショックが発生しやすくなる。また、変速ショックが発生し始める係合側油圧ＰＥは自動変速機３の駆動状態によって異なるものとなる。
【００６１】
そこで、本実施形態においては、学習制御処理が行われる場合における係合側油圧ＰＥの制御量ｅＰＥの増大量ΔｅＰＥが自動変速機３の駆動状態に基づいて可変設定される。具体的には、係合側油圧ＰＥの制御量ｅＰＥの増大量ΔｅＰＥは、当該係合側油圧ＰＥによる寄与度合の増大に起因する変速ショックの大きさが許容範囲内に含まれるうちの最大値に設定される。これにより、学習制御処理が行われる場合における係合側油圧ＰＥの制御量ｅＰＥの増大量ΔｅＰＥを自動変速機３の駆動状態に基づいて的確に設定することができる。尚、自動変速機３の駆動状態を表すパラメータとしては、例えば油圧制御回路を通じて供給される作動油の温度、自動車１の外気温度や大気圧等を挙げることができる。
【００６２】
図５に、係合側油圧ＰＥの制御量ｅＰＥの増大量（低減量）ΔｅＰＥとスロットル開度制御量ｅＴＡの低減量（増大量）ΔｅＴＡとの関係を示す。
図５に示すように、係合側油圧ＰＥの制御量ｅＰＥの増大量（低減量）ΔｅＰＥが大きくなるほど、スロットル開度制御量ｅＴＡの低減量（増大量）ΔｅＴＡが大きくなるように設定されている。具体的には、係合側油圧ＰＥの制御量ｅＰＥが所定量ΔｅＰＥだけ増大（低減）されるとともに、スロットル開度制御量ｅＴＡが所定量ΔｅＴＡだけ低減（増大）される場合と、係合側油圧ＰＥの制御量ｅＰＥ及びスロットル開度制御量ｅＴＡが増減されない場合とで、変速処理の過程におけるタービン回転速度ＮＴが略同じ上昇態様となるように、これら増大量ΔｅＰＥ及び低減量ΔｅＴＡが実験等を通じて設定されている。
【００６３】
次に、上記制御量変換処理の実行手順について、制御量変換処理実行ルーチンを示す図６のフローチャートを参照して説明する。この制御量変換処理実行ルーチンは、電子制御装置８を通じて、例えば所定時間毎の時間割り込みにて周期的に実行される。
【００６４】
図６に示すように、同ルーチンにおいては、まずは学習完了フラグＦが「ＯＮ」であるか否かを判断する（ステップＳ１０１）。ここで、学習完了フラグＦは、学習制御処理を通じて自動変速機３の変速態様が目標変速態様となっている場合には「ＯＮ」とされ、自動変速機３の変速態様が目標変速態様となっておらず学習制御処理を実行する必要がある場合には「ＯＦＦ」とされるものである。
【００６５】
従って、学習制御処理が一度も行われていない場合には、学習完了フラグＦは「ＯＦＦ」とされており、上記ステップＳ１０１において否定判断されることで（ステップＳ１０１：「ＮＯ」）、次に、学習制御処理が実行される（ステップＳ１０２）。そして、ダウンシフトの実行にともなうタービン回転速度ＮＴの変化速度ΔＮＴと目標変化速度ΔＮＴｔｒｇとの偏差の絶対値ＤＮ（＝｜ΔＮＴ−ΔＮＴｔｒｇ｜）が所定値ＤＮｔｈ以下であるか否かを判断する（ステップＳ１０３）。ここで、上記偏差の絶対値ＤＮが所定値ＤＮｔｈ以下である場合（ステップＳ１０３：「ＹＥＳ」）には、学習制御処理を通じて自動変速機３の変速態様が目標変速態様となったものとして、次に、学習完了フラグＦが「ＯＮ」とされ（ステップＳ１０５）、この一連の処理を一旦終了する。
【００６６】
一方、上記偏差の絶対値ＤＮが所定値ＤＮｔｈよりも大きい場合（ステップＳ１０３：「ＮＯ」）には、自動変速機３の変速態様が目標変速態様となっていないものとして、次に、学習完了フラグＦが「ＯＦＦ」とされ（ステップＳ１０４）、この一連の処理を一旦終了する。
【００６７】
上記ステップＳ１０１において、学習完了フラグＦが「ＯＮ」とされている場合（ステップＳ１０１：「ＹＥＳ」）には、次に、学習制御処理を再度実行する必要があるか否かを判断する（ステップＳ１０６）。ここでは、上記ステップＳ１０２において学習制御処理が行われた後に、例えば油圧制御回路を通じて供給される作動油の温度が変化するなどして、ダウンシフトの実行にともなうタービン回転速度ＮＴの変化速度ΔＮＴと目標変化速度ΔＮＴｔｒｇとの偏差の絶対値ＤＮが上記所定値ＤＮｔｈよりも大きくなった場合に、学習制御処理を再度実行する必要があると判断する。そしてその結果、上記ステップＳ１０６において、学習制御処理を再度実行する必要のない場合（ステップＳ１０６：「ＮＯ」）には、マップ（図５参照）と自動変速機３の駆動状態とに基づきに基づき係合側油圧ＰＥの制御量ｅＰＥの低減量ΔｅＰＥ及びスロットル開度制御量ｅＴＡの増大量ΔｅＴＡが設定される（ステップＳ１０７）。尚、係合側油圧ＰＥの制御量ｅＰＥの低減量ΔｅＰＥは、当該係合側油圧ＰＥによる寄与度合の低減に起因する変速ショックの大きさが許容範囲内に含まれるうちの最大値に設定される。そして、次に、係合側油圧ＰＥの制御量ｅＰＥに、学習制御処理が行われた直後の値ｅＰＥから上記低減量ΔｅＰＥだけ減算した値が設定されるとともに、スロットル開度制御量ｅＴＡに、学習制御処理が行われた直後の値ｅＴＡに対して増大量ΔｅＰＥだけ加算した値が設定されて（ステップＳ１０８）、この一連の処理を一旦終了する。
【００６８】
一方、上記ステップＳ１０６において、学習制御処理を再度実行する必要がある場合（ステップＳ１０６：「ＹＥＳ」）には、マップ（図５参照）と自動変速機３の駆動状態とに基づき係合側油圧ＰＥの制御量ｅＰＥの増大量ΔｅＰＥ及びスロットル開度制御量ｅＴＡの低減量ΔｅＴＡが設定される（ステップＳ１０９）。そして、次に、係合側油圧ＰＥの制御量ｅＰＥに、そのときの値ｅＰＥに対して増大量ΔｅＰＥだけ加算した値を設定するとともに、スロットル開度制御量ｅＴＡに、そのときの値ｅＴＡから低減量ΔｅＰＥだけ減算した値が設定される（ステップＳ１１０）。そして、次に、学習完了フラグＦが「ＯＦＦ」とされて（ステップＳ１０５）、この一連の処理を一旦終了する。
【００６９】
次に、図７のタイミングチャートを参照して、（ａ）タービン回転速度ＮＴの推移、（ｂ）スロットル開度制御量ｅＴＡの推移、（ｃ）解放側油圧ＰＲの制御量ｅＰＲの推移、（ｄ）係合側油圧ＰＥの制御量ｅＰＥの推移の一例について説明する。尚、同図において、実線は学習制御処理が実行されない場合（非学習時）を、一点鎖線は学習制御処理が実行される場合（学習時）をそれぞれ表している。
【００７０】
ギヤ段が「ｎ速」とされている時刻ｔ１において、指示段を「ｎ―１速」とするダウンシフトの切り換え指示が行われると、これにともない解放側油圧ＰＲを急激に低下させるために同解放側油圧ＰＲの制御量ｅＰＲがそれまでの「ｅＰＲ１」から一時的に「０」とされる（ｂ）。また、係合側油圧ＰＥを急激に上昇させるために同係合側油圧ＰＥの制御量ｅＰＥがそれまでの「０」から時刻ｔ２まで「ｅＰＥ３」とされる（０＜ｅＰＥ３）（ｃ）。尚、スロットル開度制御量ｅＴＡは全閉開度に対応する「０」とされている。
【００７１】
そして、時刻ｔ２において、スロットル開度ＴＡが開き側に大きくなるようにスロットル開度制御量ｅＴＡが徐々に増大されるようになる。ここで、学習制御処理が実行される場合には、スロットル開度制御量ｅＴＡは時刻ｔ３から時刻ｔ４まで「ｅＴＡ１」に維持される（０＜ｅＴＡ１）（ｂ）。一方、学習制御処理が実行されない場合には、スロットル開度制御量ｅＴＡは時刻ｔ３から時刻ｔ４まで「ｅＴＡ１」よりも所定量ΔｅＴＡだけ大きい「ｅＴＡ２」とされる（ｅＴＡ１＜ｅＴＡ２）（ｂ）。尚、スロットル開度制御量ｅＴＡが大きくなるほどスロットル開度ＴＡは開き側に大きくされるようになっている。
【００７２】
また、時刻ｔ２以降において、解放側油圧ＰＲの制御量ｅＰＲは徐々に低減され、時刻ｔ６において「０」とされる（ｃ）。
また、時刻ｔ２から時刻ｔ５まで、係合側油圧ＰＥの制御量ｅＰＥは所定値に維持される。ここで、学習制御処理が実行される場合には、係合側油圧ＰＥの制御量ｅＰＥは上記「ｅＰＥ３」よりも小さい「ｅＰＥ２」とされる（０＜ｅＰＥ２＜ｅＰＥ３）（ｄ）。一方、学習制御処理が実行されない場合には、係合側油圧ＰＥの制御量ｅＰＥは上記「ｅＰＥ２」よりも所定量ΔｅＰＥだけ小さい「ｅＰＥ１」とされる（０＜ｅＰＥ１＜ｅＥＰ２）（ｄ）。
【００７３】
こうしてスロットル開度制御量ｅＴＡ、解放側油圧ＰＲの制御量ｅＰＲ、及び係合側油圧ＰＥの制御量ｅＰＥがそれぞれ制御されることにより、時刻ｔ２以降において、タービン回転速度ＮＴは「ｎ−１速」における同期回転速度ＮＴｎ−１に向けて上昇するようになる。
【００７４】
そして、時刻ｔ４において、スロットル開度ＴＡが開き側に小さくなるようにスロットル開度制御量ｅＴＡが徐々に低減されるようになり、時刻ｔ５において「０」とされる（ｂ）。
【００７５】
また、時刻ｔ５から時刻ｔ６まで、係合側油圧ＰＥの制御量ｅＰＥは徐々に増大されるようになり、時刻ｔ６において所定値ｅＰＥ４とされる（ｅＰＥ３＜ｅＰＥ４）（ｄ）。
こうしてスロットル開度制御量ｅＴＡ、解放側油圧ＰＲの制御量ｅＰＲ、及び係合側油圧ＰＥの制御量ｅＰＥがそれぞれ制御されることにより、時刻ｔ６において、タービン回転速度ＮＴは「ｎ−１速」における同期回転速度ＮＴｎ−１となる。
【００７６】
以上説明した本実施形態によれば、以下に示す作用効果が得られるようになる。
（１）変速処理は、ダウンシフトを実行する際に、当該ダウンシフトの実行にともなうタービン回転速度ＮＴの変化速度ΔＮＴに基づいて学習制御処理が行われる場合には、同学習制御処理が行われない場合に比べて係合側油圧ＰＥの制御量ｅＰＥを増大させる一方、当該係合側油圧ＰＥの制御量ｅＰＥの増大量ΔｅＰＥに対応する分だけトルクアップ処理におけるスロットル開度制御量ｅＴＡを低減させる制御量変換処理を含むものとした。これにより、ダウンシフトを実行する際に、自動変速機３の変速態様を的確に目標変速態様としつつ、変速ショックの発生を的確に抑制することができる。
【００７７】
（２）制御量変換処理は、ダウンシフトが実行される際に、当該ダウンシフトの実行にともなうタービン回転速度ＮＴの変化速度ΔＮＴに基づいて学習制御処理が行われない場合には、直前に行われた学習制御処理により学習された係合側油圧ＰＥの制御量ｅＰＥを低減させる一方、当該係合側油圧ＰＥの制御量ｅＰＥの低減量ΔｅＰＥに対応する分だけトルクアップ処理におけるスロットル開度制御量ｅＴＡを増大させることとした。これにより、ダウンシフトを実行する際に、自動変速機３の変速態様を一層的確に目標変速態様とすることができるようになる。
【００７８】
（３）学習制御処理は、学習制御処理が行われる場合における係合側油圧ＰＥの制御量ｅＰＥの増大量ΔｅＰＥを自動変速機３の駆動状態に基づいて可変設定することとした。これにより、学習制御処理が行われる場合における係合側油圧ＰＥの制御量ｅＰＥの増大量ΔｅＰＥを自動変速機３の駆動状態に基づいて的確に設定することができ、学習制御処理における感度及び精度の低下を的確に抑制しつつ、変速ショックの発生についてもこれを的確に抑制することができる。
【００７９】
尚、本発明にかかる車両の制御装置は、上記実施形態にて例示した構成に限定されるものではなく、これを適宜変更した例えば次のような形態として実施することもできる。
・上記実施形態では、トルクアップ処理として、スロットル開度制御、すなわち吸入空気量制御を行うものについて例示したが、これに代えて、点火時期制御によりエンジン２の出力トルクを増大させるようにしてもよい。また、吸入空気量制御と点火時期制御の双方によりエンジン２の出力トルクを増大させるようにしてもよい。
【００８０】
・上記実施形態では、ガソリンエンジン２について例示したが、本発明に係る機関はこれに限られるものではなく、ディーゼルエンジンを採用することもできる。この場合には、吸入空気量制御や点火時期制御に代えて、燃料噴射量制御によりエンジンの出力トルクを増大させるようにすればよい。
【００８１】
・また、本発明に係る機関は内燃機関に限られるものではなく、これを電動機として構成することもできる。要するに、自動変速機３に対して回転駆動力を出力するものであればよい。
【００８２】
・上記実施形態では、タービン回転速度ＮＴの変化速度ΔＮＴと目標変化速度ΔＮＴｔｒｇとの偏差の絶対値ＤＮ（＝｜ΔＮＴ−ΔＮＴｔｒｇ｜）に基づいて係合側油圧ＰＥの制御量ｅＰＥの学習を行うものについて例示したが、これをタービン回転速度ＮＴの変化速度ΔＮＴと目標変化速度ΔＮＴｔｒｇとの比に基づいて行うようにすることもできる。
【００８３】
・また、本発明に係る学習制御処理における学習態様は上記実施形態によるようなタービン回転速度ＮＴの変化態様に基づくものに限られるものではなく、自動変速機３における機関側の回転速度の変化態様に基づいて行うものであれば、機関側の回転速度の変化態様を把握するための任意のパラメータを採用することもできる。
【００８４】
・上記実施形態によるように、学習制御処理が行われる場合における係合側油圧ＰＥの制御量ｅＰＥの増大量ΔｅＰＥを、当該係合側油圧ＰＥによる寄与度合の増大に起因する変速ショックの大きさが許容範囲内に含まれるうちの最大値に設定することが、変速ショックの発生を的確に抑制しつつ学習制御処理における感度及び精度の低下を的確に抑制する上では望ましい。しかしながら、係合側油圧ＰＥの制御量ｅＰＥの増大量ΔｅＰＥにおける自動変速機３の駆動状態に基づく可変設定態様はこれに限られるものではなく、上記増大量ΔｅＰＥを上記最大値よりも小さい値に設定するようにしてもよい。
【００８５】
・また、本発明に係る制御量変換処理における係合側油圧の制御量の増大量を固定値として設定することもできる。この場合には、制御量変換処理における制御構成を簡易なものとすることができるようになる。
【００８６】
要するに、ダウンシフトを実行する際に、当該ダウンシフトの実行にともなう自動変速機における機関側の回転速度の変化態様に基づいて学習制御処理が行われる場合には、同学習制御処理が行われない場合に比べて係合側油圧の制御量を増大させる一方、当該係合側油圧の制御量の増大量に対応する分だけトルクアップ処理における機関の出力トルクの制御量を低減させるものであればよい。
【符号の説明】
【００８７】
１…自動車、２…エンジン、３…自動変速機、４…車輪、５…トルクコンバータ、６…変速歯車機構、８…電子制御装置（変速制御手段）、９…入力回転速度センサ、１０…出力回転速度センサ、１２…アウトプットシャフト、１３…シフトレバー、１４…シフトポジションセンサ、１５…アクセルペダル、１６…アクセルポジションセンサ、２０…タービンシャフト、４２…点火プラグ、４３…吸入空気量センサ４４…スロットルバルブ、４５…スロットルポジションセンサ、４６…燃料噴射弁、５４…油圧制御回路、５５〜６２…ソレノイドバルブ。
【図１】
2010276097.tif 000003
【図２】
2010276097.tif 000004
【図３】
2010276097.tif 000005
【図４】
2010276097.tif 000006
【図５】
2010276097.tif 000007
【図６】
2010276097.tif 000008
【図７】
2010276097.tif 000009